(57)【特許請求の範囲】
【請求項１】
噴霧潤滑における加圧油槽と補給用油槽との二槽を備える噴霧潤滑装置において、
補給用油槽より定量油量を加圧油槽に補給する間隔を一定にし、何かの不具合発生により油の消費量が増加した際、加圧油槽内の油面低下を油面位置Ｐ１  で噴霧油量の増加信号を発信し、油の消費量が低下した際は、加圧油槽内の油面上昇を油面位置Ｐ２  で噴霧油量の低下信号として発信する油量信号発信手段を備えてなることを特徴とする噴霧潤滑装置。
【発明の詳細な説明】
【０００１】
【発明の属する技術分野】
本発明は、主として霧化能力自体の監視機能を有する噴霧潤滑装置に関し、更に詳しくは、霧化機構部における霧化性能の良否（吐出油量の安定度）の判断に供することができる有用な噴霧潤滑装置に存する。
【０００２】
【従来の技術】
従来、斯かる噴霧潤滑装置としては、例えば、上下レベルスイッチにより管理される加圧油槽を備えている。
【０００３】
【発明が解決しようとする課題】
しかしながら、上述した従来の噴霧潤滑装置の加圧油槽にあっては、あくまでも自動給油制御のためのものであり、霧化機構部における霧化性能の良否（吐出油量の安定度）の判断に供されるものではなかった。
【０００４】
本発明は、このような従来の問題点に鑑みてなされたもので、霧化性能の良否（吐出油量の安定度）の判断に供されるなど、霧化能力自体の監視機能をも行うことができる有用な噴霧潤滑装置の提供を目的としたものである。
【０００５】
【課題を解決するための手段】
上述の如き従来の問題点を解決し、所期の目的を達成するため本発明の要旨とする構成は、噴霧潤滑における加圧油槽と補給用油槽との二槽を備える噴霧潤滑装置において、
補給用油槽より定量油量を加圧油槽に補給する間隔を一定にし、何かの不具合発生により油の消費量が増加した際、加圧油槽内の油面低下を油面位置Ｐ１  で噴霧油量の増加信号を発信し、油の消費量が低下した際は、加圧油槽内の油面上昇を油面位置Ｐ２  で噴霧油量の低下信号として発信する油量信号発信手段を備えてなる噴霧潤滑装置に存する。
【００１０】
このように構成される本発明の噴霧潤滑装置は、加圧油槽に供給する油量を少量一定にすること及び油面位置Ｐ１  ，Ｐ２  の位置を近づけ、霧化機能が正常である場合は、少量一定供給直後の油面位置をこの油面位置Ｐ１  ，Ｐ２  位置の中間とし、消費量が増加すれば、油面位置が油面位置Ｐ１  より低下して信号を発信し、消費油量が減少すれば、油面位置が油面位置Ｐ２  より上昇して信号を発信するので、霧化能力自体の監視機能を持つことになる。
【００１１】
更に、噴霧潤滑以外の目的であっても、消費液量を管理するシステムとして流用可能であり、単位時間当たりにどれだけの量を使用する機器であるか、使用量の増減を監視し得ることとなる。
【００１２】
以下、本発明に係る噴霧潤滑装置の実施の一例を図面を参照しながら説明する。図中Ａは、本発明に係る噴霧潤滑装置であり、この噴霧潤滑装置Ａは、噴霧潤滑における加圧油槽１及び補給用油槽２と、油面位置Ｐ１  及び／又は油面位置Ｐ２  を検出する油面検出手段３，３と、前記補給用油槽２より定量油量を加圧油槽に補給する定量油補給手段４と、噴霧油量の低下信号を発信する低下信号発信手段（図示せず）と、噴霧油量の増加信号を発信する油量増加発信手段（図示せず）と、油量信号発信手段(図示せず)とを備えている。
【００１３】
加圧油槽１は、例えば、上位に配設された油滴下監視用のサイトドーム１ａと、該サイトドーム１ａに内設されたベンチュリ機構１ｂとを備えている。
【００１４】
油面検出手段３，３としては、レベルスイッチが挙げられる。例えば、フロート式、静電容量式（電極棒式）等のレベルスイッチが挙げられるが、予め設定したレベル（油面位置）以上になった時或いはそれ以下になった時に、電気接点を開閉してその制御回路へ電気信号を送る役目をなすものである。
【００１５】
更に、定量油補給手段４は、例えば、給油ポンプからなり、補給用油槽２より定量油量を加圧油槽１に補給する際、油面位置Ｐ１  のレベルスイッチの油面低下による切り換わり時に定量油量を供給する。
【００１６】
また、低下信号発信手段（図示せず）は、このレベルスイッチのＯＮ／ＯＦＦ作動を監視し、ＯＮ作動或いはＯＦＦ作動が本来の霧化消費時間の０．９〜１０倍の規定時間内に繰り返されることを確認すると共に、確認されない場合に、噴霧油量の低下信号として発信するものであり、図２に示すように、油面位置Ｐ１  のレベルスイッチの作動Ａ、Ｂによって、その時点Ａ、Ｂを新たな規定時間の起点とすべく制御されている。
【００１７】
更に、油量増加発信手段（図示せず）は、図３に示すように、本来の霧化消費時間の０．９倍未満の規定時間ｔ内で、油面位置Ｐ１  のレベルスイッチの油面低下による切り換わり信号が作動する際（Ｄ地点）、噴霧油量の増加信号を発信するものであり、油面位置Ｐ１  のレベルスイッチの作動によってその時点を新たな規定時間の起点とすべく制御されている。
【００１８】
また、油量信号発信手段は、補給用油槽２より定量油量を加圧油槽１に補給し、何かの不具合発生により油の消費量が増加した際、加圧油槽１内の油面低下を油面位置Ｐ１  で噴霧油量の増加信号を発信し、油の消費量が低下した際は、加圧油槽１内の油面上昇を油面位置Ｐ２  で噴霧油量の低下信号として発信すべくプログラムされている。
【００１９】
例えば、図３に示すように、規定時間ｔ内に、油面位置Ｐ１  のレベルスイッチの油面低下による切り換わり信号が作動した際（Ｄ地点）、このＤ地点で多消費の異常信号を発信し、Ｄ地点で補給が開始され、再認定される規定時間の原点になる。尚、規定時間マイナスリミットｔ１  内で再給油されるのは正常と判断され、規定時間プラスリミットｔ２  時点で小消費の異常信号が発信される。
【００２０】
更に、定量油量は、その潤滑対象の要求により、その定量油量の油量を変更できる油量変更手段（図示せず）を備えるのが好ましい。
【００２１】
尚、図中５は、エア又はオイル駆動のポンプであり、ルブリケータ１に間欠的に潤滑油を送り込むものである。換言すれば、このポンプ５は、例えば、加圧油槽１と連通されたインジェクションポンプからなり、また、図外の信号検出手段からの信号処理により同インジェクションポンプの作動頻度を増減させることで、フォグの生成量を増減させることもできるものであり、油霧発生器の形式により同ポンプ５の必要性の有無が決定される。
【００２２】
このように構成される本実施例の噴霧潤滑装置は、加圧油槽１に供給する油量を少量一定にすること及び油面位置Ｐ１  ，Ｐ２  の位置を近づけ、霧化機能が正常である場合は、少量一定供給直後の油面位置をこの油面位置Ｐ１  ，Ｐ２  位置の中間とし、消費量が増加すれば、油面が油面位置Ｐ１  より低下して信号を発信し、消費油量が減少すれば、油面が油面位置Ｐ２  より上昇して信号を発信するもので、霧化能力の監視機能を付加することになる。
【００２３】
また、霧化油量が単位時間当たり一割程増減しても、潤滑には殆ど問題を生じなく、二割になっても同様である。更に、油面位置Ｐ１  ，Ｐ２  の位置を近づけることによる不具合（停止の原因）を解消するため、▲１▼単位時間を少々長くしたり、▲２▼油面位置Ｐ１  ，Ｐ２  の位置関係を広いものにする等の対応が必要となる。
【００２４】
尚、本発明の噴霧潤滑装置は、本実施例に限定されることなく、本発明の目的の範囲内で自由に設計変更し得るものであり、本発明はそれらの全てを包摂するものである。
【００２５】
【発明の効果】
本発明は上述のように構成され、加圧油槽に供給する油量を少量一定にすること及び油面位置Ｐ１  ，Ｐ２  の位置を近づけ、霧化機能が正常である場合は、少量一定供給直後の油面位置をこの油面位置Ｐ１  ，Ｐ２  位置の中間とし、消費量が増加すれば、油面が油面位置Ｐ１  より低下して信号を発信し、消費油量が減少すれば、油面が油面位置Ｐ２  より上昇して信号を発信するため、霧化能力自体の監視機能を持つ噴霧潤滑装置を提供できるものであり、また、噴霧潤滑以外の目的であっても、消費液量を管理するシステムとして流用可能であり、単位時間当たりにどれだけの量を使用する機器であるか、使用量の増減などを監視できるなどの優れた効果を奏するものである。
【００２６】
このように本発明の噴霧潤滑装置は、霧化能力の監視機能を持つことができ、また、構成が単純であるため大量生産に適し、価格も低廉なものとして需要者に提供できるなど、本発明を実施することはその実益的価値が甚だ大である。
【図面の簡単な説明】
【図１】本発明に係る噴霧潤滑装置の一実施例を示す回路図である。
【図２】同噴霧潤滑装置に係る定量油量の給油タイミングを示す説明図である。
【図３】同噴霧潤滑装置に係る多消費及び小消費油量の給油タイミングを示す説明図である。
【符号の説明】
１  加圧油槽
１ａ  サイトドーム
１ｂ  ベンチュリ機構
２  補給用油槽
３  油面検出手段
４  定量油補給手段
Ｐ１  油面位置
Ｐ２  油面位置
ｔ  規定時間
ｔ１  規定時間マイナスリミット
ｔ２    規定時間プラスリミット
【図１】
0004071953.tif 000002
【図２】
0004071953.tif 000003
【図３】
0004071953.tif 000004